(57)【要約】【課題】床下空間と床上空間とを仕切る床に開口部を開口し、この開口部にハッチプレートを開閉可能に設けたハッチユニットを設けてなる、建物におけるハッチ構造において、床のフローリング板と、そこに開口した開口部を開閉するハッチプレートのフローリング板との目合わせを精度よく簡単に行うことができ、また、床側のフローリング板と、ハッチプレート側のフローリング板とを、同一平面とすることができ、またそれらの接続面間に隙間ができることなく、バリヤフリー床とすることができる。【解決手段】床Ｆｒに開口した開口部２の周囲を躯体Ｆに支持された複列大引ビーム３ｄにより取り囲み、その複列大引ビーム３ｄ上に床Ｆｒの下地板４を固定支持すると共にハッチ枠１７を前後、左右に位置調整して固定支持し、下地板４およびハッチ枠１７上に、目地Ｊｏを有するフローリング板６，１８ｂを同一平面上に目地Ｊｏを合わせて隙間なく敷設した。【選択図】      図４
2004169496.tif 000002
【特許請求の範囲】
【請求項１】
床上空間（Ｃｕ）と床下空間（Ｃｄ）とを仕切る床（Ｆｒ）に、開口部（２）を開設し、この開口部（２）に、ハッチ枠（１７）にハッチプレート（１８）を開閉可能に設けたハッチユニット（Ｈｕ）を備えてなる建物におけるハッチ構造において、
前記開口部（２）の周囲を、躯体（Ｆ）に支持される複列大引ビーム（３ｄ）により取り囲み、この複列大引ビーム（３ｄ）の上面に、床（Ｆｒ）の下地板（４）を支持すると共に前記ハッチ枠（１７）の外周面に固定した位置調整部材（１７ｄ）を、調整空間（Ｓｐ）を存して前後、左右方向に位置調節可能に支持し、前記床（Ｆｒ）の下地板（４）およびハッチ枠（１７）上のハッチプレート（１８）に、目地（Ｊｏ）を有するフローリング板（６，１８ｂ）を同一面上に、目地合わせして敷設したことを特徴とする、建物におけるハッチ構造。
【請求項２】
床上空間（Ｃｕ）と床下空間（Ｃｄ）とを仕切る床（Ｆｒ）に、開口部（２）を開設し、この開口部（２）に、ハッチ枠（１７）にハッチプレート（１８）を開閉可能に設けたハッチユニット（Ｈｕ）を備えてなる、建物におけるハッチ構造において、
前記開口部（２）の周囲を、躯体（Ｆ）に支持される複列大引ビーム（３ｄ）により取り囲み、この複列大引ビーム（３ｄ）の上面に、これと直交して床（Ｆｒ）の複数の根太（１０４）を固定し、これらの根太（１０４）上に前記床（Ｆｒ）の下地板（４）を支持すると共に前記ハッチ枠（１７）の外周面に固定した位置調整部材（１７ｄ）を、調整空間（Ｓｐ）を存して前後、左右方向に位置調節可能に支持し、前記床（Ｆｒ）の下地板（４）およびハッチ枠（１７）上のハッチプレート（１８）に、目地（Ｊｏ）を有するフローリング板（６，１８ｂ）を同一面上に、目地合わせして敷設したことを特徴とする、建物におけるハッチ構造。
【発明の詳細な説明】
【０００１】
【発明の属する技術分野】
本発明は、床上空間と床下空間とを仕切る床に開設した開口部に、開閉可能なハッチプレートを備えたハッチユニットを設けてなる建物におけるハッチ構造に関するものである。
【０００２】
【従来の技術】
従来、集合住宅等の建物において、床上空間と床下空間とを仕切る床に、開口部を開口し、この開口部をハッチにより開閉できるようにして、床下空間を物入れとして利用できるようにした建物におけるハッチ構造は公知である。
【０００３】
【発明が解決しようとする課題】
ところで、図１０に示すように、従来のハッチ構造は、大引ビーム上に根太および捨貼りを介してフローリング板を敷設した床に開口部を開口し、この開口部を、下地板上にフローリング板を敷設したハッチにより開閉できるようにし、床の開口部は、ハッチ枠に固定した金属フレームにより縁取りし、またハッチの外縁は、同じく金属フレームにより縁取りするようにしている。
【０００４】
ところが、かかる従来のハッチ構造では、床とハッチとを同一面に形成することができないばかりでなくハッチの取付誤差や、金属フレームの変形により、開口部とハッチとの間に隙間や段差ができ易く、さらに床側のフローリングの目地と、ハッチ側のフローリングの目地との目合わせが困難であり、外観上の見栄えを悪くして床全体の商品価値を低下させるなどの問題がある。
【０００５】
本発明はかかる実情に鑑みてなされたもので、ハッチプレート側のフローリング板の目地と、床側のフローリング板の目地とを精度よく目合わせすることができるようにして床の商品価値を高めると共に、それらのフローリング板の上面を同一面にし、かつそれらの接続面間に隙間ができないようにして、バリヤフリー床を形成できるようにした、新規な建物におけるハッチ構造を提供することを目的とするものである。
【０００６】
【課題を解決するための手段】
前記目的を達成するために、本請求項１記載の発明は、床上空間と床下空間とを仕切る床に、開口部を開設し、この開口部に、ハッチ枠にハッチプレートを開閉可能に設けたハッチユニットを備えてなる、建物におけるハッチ構造において、前記開口部の周囲を、躯体に支持される複列大引ビームにより取り囲み、この複列大引ビームの上面に、床の下地板を支持すると共に前記ハッチ枠の外周面に固定した位置調整部材を、調整間隙を存して前後、左右方向に位置調節可能に支持し、前記床の下地板およびハッチ枠上のハッチプレートに、目地を有するフローリング板を同一面上に、目地を合わせて敷設したことを第１の特徴とし、また本請求項２記載の発明は、床上空間と床下空間とを仕切る床に、開口部を開設し、この開口部に、ハッチ枠にハッチプレートを開閉可能に設けたハッチユニットを備えてなる、建物におけるハッチ構造において、前記開口部の周囲を、躯体に支持される複列大引ビームにより取り囲み、この複列大引ビームの上面に、これと直交して複数の根太を固定し、これらの根太上に前記床の下地板を支持すると共に前記ハッチ枠の外周面に固定した位置調整部材を、調整間隙を存して前後、左右方向に位置調節可能に支持し、前記床の下地板およびハッチ枠上のハッチプレートに、目地を有するフローリング板を同一平面上に、目地を合わせて敷設したことを第２の特徴としており、かかる第１、第２の特徴によれば、建物におけるハッチ構造において、躯体に精度よく堅固に支持される複列大引ビームの上面を利用して床およびハッチユニットを何れも支持することができ、しかもハッチユニットは、床に対して正規の位置に位置調整できるので、ハッチプレートおよび床上のフローリング板の目地合わせを簡単に精度よく行なうことができ、床全体の外観上の美観を向上させ、その商品価値を高めることができる。また、床の床面と、ハッチプレートの床面を同一面とすることができ、しかも床とハッチユニットとの間に隙間ができることがないので、バリヤフリー床とすることができる。
【０００７】
【発明の実施の形態】
以下、本発明の実施の形態を、添付図面に示した本発明の実施例に基づいて説明する。
【０００８】
まず、図１〜７を参照して、本発明の第１実施例について説明する。
【０００９】
図１は、本発明ハッチ構造を備えた建物の一部の横断面図、図２は、図１の２−２線に沿う断面図、図３は、図２の３矢視の仮想線囲い部分の拡大図、図４は、図３の４矢視の仮想線囲い部分の拡大図、図５は、図３の５−５線に沿う拡大断面図、図６は、図５の６−６線に沿う拡大断面図、図７は、ハッチユニットの、床の開口部への取付過程を示す作用図である。
【００１０】
図１，２において、集合住宅等の建物の骨格を構成する躯体Ｆは、水平方向に延びて建物を上下複数の階層に区画する水平躯体部分Ｆｈと、鉛直方向に延びて隣接する水平躯体部分Ｆｈ間を相互に連結する鉛直躯体部分Ｆｖとを備えており、水平躯体部分Ｆｈは、スラブＳの上面に複数の逆梁Ｒｂを上向きに一体に突設した、所謂逆梁構造に構成されている。建物の各階層は、逆梁Ｒｂにより複数の居住空間１に区画され、それらの居住空間１には本発明に従うハッチ構造が構築される。
【００１１】
以下に、ハッチ構造を備えた居住空間１の構造について説明するに、この居住空間１は、床Ｆｒにより、居室として利用される床上空間Ｃｕと、物品収納室として利用される床下空間Ｃｄとに仕切られている。物品収納室として機能する床下空間Ｃｄは、その四方を逆梁Ｒｂにより囲まれて、その全域が仕切りのない一つの広い室として構成される。
【００１２】
図１に示すように、床Ｆｒの中間部には長方形の開口部２が開口され、この開口部２を通して人が床下空間Ｃｄに入り、物の出入れをすることができる。また開口部２には、ハッチユニットＨｕが設けられ、このハッチユニットＨｕは、床Ｆｒに固定のハッチ枠１７上にハッチプレート１８が開閉可能に設けられる。
【００１３】
前記床Ｆｒは、逆梁Ｒｂ上に防振ゴム７を介して支持される複数の大引ビーム３と、それらの上に敷設される、合板よりなる下地板４と、その下地板４上に敷設固定される木製などのフローリング板６とより構成されている。このフローリング板６は、従来公知のもので、帯状の複数の化粧単板６ａを一平面状に継ぎあわせてなる複数枚のフローリングモジュール６ｍを居室の床面積の大きさに接合して構成される。化粧単板６ａの継ぎ目には、目地Ｊｏが形成され、この実施例によれば、後に述べるように、床Ｆｒのフローリング板６と、ハッチプレート１８のフローリング板１８ｂとの目地Ｊｏ合わせが容易に的確に行なわれる。
【００１４】
前記床Ｆｒを支持するのに、スラブＳ上には、従来のような束が一切立てられておらず、その床Ｆｒに伝わる騒音が直接スラブＳを通して階下に伝わることがないようになっている。
【００１５】
図３に明瞭に示すように、前記長方形の開口部２の四方の開口周縁部は、２本の大引ビーム３を複列結合させた複列大引ビーム３ｄによって取り囲まれている。複列大引ビーム３ｄは、図４に示すように、断面Σ状の２本の大引ビーム３，３の背面同志をスペーサ１０を介して衝合させ、それら三者を複数のボルト・ナット１１により一体に結合して構成されている。前記スペーサ１０は、互いに平行な左右両側面１０ａの上下端に、先端に向かって接近する方向に傾斜するテーパー面１０ｂが形成され、これらのテーパー面１０ｂに、大引ビーム３の上下の傾斜面が、前記ボルト・ナット１１の締結により密接され、これにより一対の大引ビーム３よりなる複列大引ビーム３ｄの上面は同一面に自動的に調整される。
【００１６】
しかして、前記複列大引ビーム３ｄは、躯体Ｆに堅固に高精度に固定支持され、しかも高い剛性を保有するので、後に述べるように、複列大引ビーム３ｄ上に共に支持されるハッチユニットＨｕおよび床Ｆｒは、長期にわたり高い精度を維持することができる。
【００１７】
図４に示すように、前記複列大引ビーム３ｄの、前記開口部２から遠ざかる側の、片側の大引ビーム３上には、合板製の下地板４の端縁部が載置され、ネジ９により固定される。その下地板４上にフローリング板６が貼り付けられる。前記下地板４の端縁は、複列大引ビーム３ｄの、一対の大引ビーム３の継ぎ目上に略位置していて、複列大引ビーム３ｄの、開口部２側の端縁よりも後退しており、該複列大引ビーム３ｄ上には、後に述べるハッチユニットＨｕの調整空間Ｓｐが形成される。そして、この調整空間Ｓｐ上には、後に述べるように、下地板４と同じ材料よりなるパッキン１２が載置される。
【００１８】
一方、前記開口部２に設けられるハッチユニットＨｕは、複列大引ビーム３ｄに固定支持される方形枠状のハッチ枠１７の開口凹部に、ハッチプレート１８を後述するリンク開閉機構Ｌｉを以て開閉可能に連結して構成されている。
【００１９】
前記ハッチ枠１７は、方形枠状の木製ハッチ枠本体１７ａの外周面に、同じく方形枠状の中間枠１７ｂを積層し、さらに、その中間枠１７ｂの外周面に同じく方形枠状の外枠１７ｃを積層して、それらを釘１３により固定し、さらにその外枠１７ｃの外面にＡｌ板などの金属板製のアングル材よりなる位置調整部材１７ｄの鉛直部分が釘１４により固定して構成されている。ハッチ枠１７の上部内側には後述するハッチプレート１８の外周縁を支持するための段差部１５が形成され、さらに、ハッチ枠１７の上部外側には、フローリング板６を固定支持するための凹部１６が形成され、さらに金属板よりなるアングル材１７ｄの水平部分は、開口部２を取り囲む複列大引ビーム３ｄの上面に向けて張り出している。
【００２０】
なお、前記ハッチ枠１７の、前記ハッチ枠本体１７ａ、中間枠１７ｂおよび外枠１７ｃは木材などにより一体に形成してもよい。
【００２１】
前記ハッチプレート１８はベニヤ板などの合板よりなる下地板１８ａ上に、フローリング板１８ｂを貼り合わせ、それらの外縁を断面コ字状の縁取枠１８ｃにより縁取りして構成される。
【００２２】
図５，６に示すように、ハッチユニットＨｕの、ハッチ枠１７と、ハッチプレート１８間には、このハッチプレート１８を開閉する一対のリンク開閉機構Ｌｉと、ガススプリングＧｓとが設けられる。前記一対のリンク開閉機構Ｌｉは、ハッチプレート１８の最大開き角度が９０°以上（この実施例では９５°）になるように、ハッチプレート１８と、ハッチ枠１７との間に連結されている。一対のリンク開閉機構Ｌｉは、ハッチ枠１７の内面の固定される基板２４に、第１リンク２５および第２リンク２６の基端が上下に間隔をあけて上下方向に回動自在に軸支され、一方、ハッチプレート１８裏面に固定される他の基板３０にはその横方向に間隔をあけて第３、第４リンク２７，２８がそれぞれ上下方向に回動自在に軸支されており、第１、第２リンク２５，２６の自由端と第３、第４リンク２７，２８の自由端同志は、それぞれ回転自在にピン連結３１，３２されている。第２リンク２６と、第３リンク２７との中間部とはピン連結３３され、この連結３３部と、前記第１リンク２５の基端側連結部との間には、引張バネ３４が張架され、この引張バネ３４の弾発力は、リンク開閉機構Ｌｉを介してハッチプレート１８を最大開き角度に弾発保持して、そのハッチプレート１８がその開き位置でガタ付かないようにしている。
【００２３】
図６実線に示すように、ハッチプレート１８が閉じ位置すなわち開口部２を閉じているとき、リンク開閉機構Ｌｉは、折り畳み位置にあり、引張バネ３４で弾発保持される。そして、ハッチプレート１８が開き始めると、第１〜第４リンク２５〜２８は起立回動し、ハッチプレート１８が全開（全開角度約９５°）すると、各リンク２５〜２８は、伸長してその位置を引張バネ３４により弾発保持する。ハッチプレート１８は、全開位置に安定して保持され、振動や外乱でガタ付くことがない。
【００２４】
なお、前記開閉リンク機構Ｌｉは、本発明の要旨ではないので、その詳細な説明を省略する。
【００２５】
また、図６に示すように、ハッチ枠１７の内面と、ハッチプレート１８の裏面間には、前記リンク開閉機構Ｌｉに近づけて、一対のガススプリングＧｓの両端が連結されている。このガススプリングＧｓは、従来公知のもので、ハッチプレート１８の開放を助勢できるようにしたものであり、ハッチプレート１８が開口部２を閉じているとき、収縮状態にある。
【００２６】
つぎに、主に図７を参照して、ハッチユニットＨｕを、床Ｆｒの開口部２に取り付ける手順について説明する。
【００２７】
▲１▼ハッチユニットの仮留め工程〔図７（ａ）参照〕
まず、フローリング板１８ｂの貼り合わせてないハッチユニットＨｕのハッチ枠１７の外周面に、Ａｌ製アングル材よりなる位置調整部材１７ｄを釘１４により固定し、このハッチユニットＨｕを、床Ｆｒの開口部２に装入し、前記位置調整部材１７ｄの水平部を、開口部２を取り囲む複列大引ビーム３ｄの、片側の大引ビーム３上に載せ、このアングル材１７ｄを、タッピングネジ２０により該大引ビーム３に仮固定、すなわち、複列大引ビーム３ｄに、ハッチユニットＨｕを仮留めする。このとき、大引ビーム３と、ハッチ枠１７との間には、ハッチユニットＨｕを位置調整するための調整間隙Ｓｐが形成される。
【００２８】
▲２▼ハッチユニットの位置決めおよび床の下地板上へのフローリング板貼り付け工程〔図７（ｂ）参照〕
このハッチユニットＨｕの仮留め状態から、フローリング板の取付、仕上げ作業者は、タッピングネジ２０を外して一旦その仮留め状態を解除し、ハッチユニットＨｕを前後、左右に位置調整して該ハッチユニットＨｕを正規の位置に位置決め調整したのち、この位置調整部材１７ｄを、複列大引ビーム３ｄの一方の大引ビーム３上に、前記タッピングネジ２０により最終固定したのち、前記大引ビーム上３にパッキン１２を載置し、このパッキン１２と下地板４上に木質のフローリング板６を貼り付け、このフローリング板６の端縁をハッチ枠１７の中間枠１７ｂに衝き当て、フローリング板６の端部を釘２１によりハッチ枠１７の外枠１７ｃに固定する。これにより、ハッチ枠１７の周囲には、隙間なくフローリング板６が貼り付けられ、また、ハッチ枠１７の上面と、フローリング板６の上面を同一面とすることができる。
【００２９】
▲３▼ハッチユニットへのフローリング板の貼り付け工程
前工程で、床Ｆｒの開口部２に対して正規の位置に位置決めして固定されたハッチユニットＨｕの下地板１８ａ上に、フローリング板１８ｂを貼り付ける。このとき、図４に示すように、ハッチユニットＨｕ側のフローリング板１８ｂと、床Ｆｒ側のフローリング板６とは、ハッチ枠１７の中間枠１７ｃを挟んで隙間なく、しかも同一面と配置することができ、しかもハッチユニット１７は、開口部２に対して正規の位置に調整固定されているので、それら両フローリング板１８ｂ、６の目地Ｊｏ合わせを簡単容易に的確に行なうことができ、その結果、ハッチユニットＨｕを備えた床Ｆｒは、その全域にわたり同一面で、バリアフリー床とすることができ、かつ床ＦｒとハッチユニットＨｕの木質系フローリング板１８ａの目地Ｊｏを正確に合致させることができ、外観上の体裁を高め、床Ｆｒの品質向上に寄与できる。
【００３０】
ところで、この工程を終了した状態で、開口部２にはハッチユニットＨｕが正規の位置に取り付けられて、該開口部２は、図３に示すように、ハッチユニットＨｕのハッチプレート１８により開閉される。そして、ハッチプレート１８により、開口部２を閉じた状態では、ハッチプレート１８側のフローリング板１８ｂと、床Ｆｒ側のフローリング板６の目地Ｊｏを一致させることができると共にそれらのフローリング板６，１８ｂとを一平面に一致させることができハッチプレート１８を備えた床面の外観上の体裁を整えて、その商品価値を大幅に向上させることができ、さらに床面に段差が形成されず、バリアフリーの床面とすることができる。
【００３１】
つぎに、図８，９を参照して本発明の第２実施例について説明する。
【００３２】
図８は、床の開口部に対するハッチユニットの取付状態を示す断面図、図９は、図８の９−９線に沿う断面図であり、図中、前記第１実施例と同じ要素には同じ符号が付される。
【００３３】
この第２実施例は、床Ｆｒの構造が、前記第１実施例のものと若干相違しており、複数の大引ビーム３および複列大引ビーム３ｄ上にはそれらと直交して複数の金属板製の根太１０４が敷設され、タッピングネジ１２０により固定される。これらの根太１０４上に、下地板４およびパッキン１２を介して木質系のフローリング板６が敷設され、一方、ハッチユニットＨｕのハッチ枠１７の外枠１７ｃに固定される金属製のアングル材よりなる位置調整部材１７ｄの水平部は、複数の根太１０４の端部上に仮留めされ、その後、前記第１実施例と同じく位置調整後に、正規の位置に最終的に固定される。
【００３４】
床Ｆｒの開口部２に設けられるハッチユニットＨｕの取付構造は、前記第１実施例のものと同じであり、その奏する効果も前記第一実施例と同じである。
【００３５】
以上、本発明の実施例について説明したが、本発明はその実施例に限定されることなく、本発明の範囲内で種々の実施例が可能である。
【００３６】
たとえば、前記実施例では、本発明を、逆梁構造の躯体を備えた集合住宅に実施した場合を説明したが、これを戸建住宅などの他の建物にも実施できることは勿論である。
【００３７】
【発明の効果】
以上のように、本請求項１または２記載の発明によれば、床上空間と床下空間とを仕切る床に開口部を開設し、この開口部にハッチプレートを開閉可能に設けたハッチユニットを備えてなる、建物におけるハッチ構造において、躯体に堅固に精度よく支持され、しかも剛性の高い複列大引ビームの上面を利用して床およびハッチユニットを何れも支持することができ、しかもハッチユニットは、床に対して正規の位置に位置調整できるので、ハッチプレートおよび床上の、フローリング板の目地合わせを簡単に精度よく行なうことができ、床全体の外観上の美観を向上させ、その商品価値を高めることができる。また、床の床面と、ハッチプレートの床面を同一平面とすることができ、しかも床とハッチユニットとの間に隙間ができることがないので、バリヤフリー床とすることができる。
【図面の簡単な説明】
【図１】本発明ハッチ構造を備えた建物の一部の横断面図（第１実施例）
【図２】図１の２−２線に沿う断面図
【図３】図２の３矢視の仮想線囲い部分の拡大図
【図４】図３の４矢視の仮想線囲い部分の拡大図
【図５】図３の５−５線に沿う拡大断面図
【図６】図５の６−６線に沿う拡大断面図
【図７】ハッチユニットの、床の開口部への取付過程を示す作用図
【図８】床の開口部に対するハッチユニットの取付状態を示す断面図（第２実施例）
【図９】図８の９−９線に沿う断面図
【図１０】従来の床の開口部に対するハッチユニットの取付状態を示す断面図
【符号の説明】
２          開口部
４          下地板
６          フローリング板
３ｄ        複列大引ビーム
１７        ハッチ枠
１７ｄ      位置調整部材（アングル材）
１８        ハッチプレート
１８ｂ      フローリング板
１０４      根太
Ｃｕ        床上空間
Ｃｄ        床下空間
Ｆ          躯体
Ｆｒ        床
Ｈｕ        ハッチユニット
Ｊｏ        目地
Ｓｐ        調整空間
【図１】
2004169496.tif 000003
【図２】
2004169496.tif 000004
【図３】
2004169496.tif 000005
【図４】
2004169496.tif 000006
【図５】
2004169496.tif 000007
【図６】
2004169496.tif 000008
【図７】
2004169496.tif 000009
【図８】
2004169496.tif 000010
【図９】
2004169496.tif 000011
【図１０】
2004169496.tif 000012